(57)【特許請求の範囲】
【請求項１】
上壁部に挿通孔が形成されると共に、側面が開口したハウジングと、
前記挿通孔を介してハウジング外に突出され、前記ハウジング内の接点機構を操作可能な操作体と、
前記ハウジング内において前記操作体を操作方向にガイドするガイド部材と、
前記操作体に取り付けられる膨出部と前記膨出部の周囲において前記挿通孔の周辺部および前記ガイド部材の間に介在される鍔状部とからなり、弾性変形可能な防水部材と、
前記ハウジング側面の開口を閉塞するカバーと前記カバーから前記ハウジング外に突出された端子部とを有するスイッチユニットとを備え、
前記ハウジング側面の開口側から取り付けられた前記スイッチユニットにより、前記ガイド部材が前記上壁部に向けて押し込まれることを特徴とするスイッチ装置。
【請求項２】
前記カバーには、前記ハウジング内に突出した押え部が設けられ、
前記カバーに前記ハウジング側面の開口が閉塞されることで、前記押え部が前記ガイド部材の下部に当接され、前記ガイド部材が前記上壁部に向けて押し込まれることを特徴とする請求項１に記載のスイッチ装置。
【請求項３】
前記端子部には、前記ハウジング内において、前記ガイド部材に向かって起立する起立部が設けられ、
前記カバーに前記ハウジング側面の開口が閉塞されることで、前記起立部が前記ガイド部材の下部に当接され、前記ガイド部材が前記上壁部に向けて押し込まれることを特徴とする請求項１または請求項２に記載のスイッチ装置。
【請求項４】
前記操作体および前記ガイド部材が、単一の成形体を分離して形成されたことを特徴とする請求項１から請求項３のいずれかに記載のスイッチ装置。
【請求項５】
前記ハウジング側面の開口に装着された前記カバーを包囲するように封止剤が設けられたことを特徴とする請求項１から請求項４のいずれかに記載のスイッチ装置。
【発明の詳細な説明】
【技術分野】
【０００１】
本発明は、防水性を高めたスイッチ装置に関し、特に、自動二輪車用のストップランプスイッチとして用いられるスイッチ装置に関する。
【背景技術】
【０００２】
従来、防水性を高めたスイッチ装置として、接点部材が収容された収容ケース内を、防水用のラバー部材により液密に封止するものが知られている（例えば、特許文献１参照）。このスイッチ装置は、収容ケースの挿通孔から操作体を上方に突出させ、この操作体により接点部材を押圧操作するものであり、操作体の周囲をラバー部材で封止するように組み付けられている。
【０００３】
収容ケースは、上面を開口した下ケースと下面を開口した上ケースとからなる。下ケースは、接点部材を収容すると共に、底壁部から下方に端子部を突出させている。また、下ケースには、上面の開口端を塞ぐようにカバー部材が圧入され、上部にラバー部材用の載置面が形成される。このカバー部材には、操作体を上下方向に操作可能にガイドするガイド孔が形成されている。
【０００４】
ラバー部材は、下ケースの載置面に載置され、平坦部の一部をドーム状に膨出させて形成されている。膨出部は、頂部に円形孔が形成され、この円形孔から操作体の先端を外側に突出させている。そして、ラバー部材は、下ケースに対して上ケースが被せられることにより、上ケースと下ケースとの間で強く挟み込まれる。このような構成により、挿通孔において操作体の周囲にできる隙間や下ケースと上ケースとの隙間等がラバー部材により液密に封止される。
【先行技術文献】
【特許文献】
【０００５】
【特許文献１】特開２００５−２９４１１２号公報
【発明の概要】
【発明が解決しようとする課題】
【０００６】
ところで、このような収容ケースから端子部を突出させた押圧操作型のスイッチ装置においては、端子部の突出方向と操作体の操作方向とを直交させたいという要望がある。上記したように、特許文献１に記載のスイッチ装置は、下向きの端子部を有する下ケースと操作体を上方に突出させた上ケースとによりラバー部材を上下から挟み込んでいる。すなわち、このスイッチ装置では、端子部の突出方向と操作体の操作方向とを同方向とすることで防水性を高めるため、防水性を維持しつつ端子部の突出方向と操作体の操作方向とを直交させることが困難となっていた。
【０００７】
本発明はこのような実情に鑑みてなされたものであり、防水性を高めることができると共に、端子部の突出方向と操作体の操作方向とを直交させることができるスイッチ装置を提供することを目的とする。
【課題を解決するための手段】
【０００８】
本発明のスイッチ装置は、上壁部に挿通孔が形成されると共に、側面が開口したハウジングと、前記挿通孔を介してハウジング外に突出され、前記ハウジング内の接点機構を操作可能な操作体と、前記ハウジング内において前記操作体を操作方向にガイドするガイド部材と、前記操作体に取り付けられる膨出部と前記膨出部の周囲において前記挿通孔の周辺部および前記ガイド部材の間に介在される鍔状部とからなり、弾性変形可能な防水部材と、前記ハウジング側面の開口を閉塞するカバーと前記カバーから前記ハウジング外に突出された端子部とを有するスイッチユニットとを備え、前記ハウジング側面の開口側から取り付けられた前記スイッチユニットにより、前記ガイド部材が前記上壁部に向けて押し込まれることを特徴とする。
【０００９】
この構成によれば、ハウジング側面の開口側から取り付けられたスイッチユニットによって、ガイド部材が上壁部に向けて押し込まれることで、ガイド部材と挿通孔の周辺部との間に防水部材の鍔状部が強く挟み込まれる。よって、挿通孔において操作体の周囲にできる隙間が防水部材によって封止され、上方に対するスイッチ装置の防水性が高められる。また、ハウジング側面の開口がカバーにより閉塞され、側方に対するスイッチ装置の防水性が高められる。このように、カバーから突出した端子部の突出方向とハウジングから突出した操作体の操作方向とが異なる構成において、防水性を高めることができる。
【００１０】
また本発明は、上記スイッチ装置において、前記カバーには、前記ハウジング内に突出した押え部が設けられ、前記カバーに前記ハウジング側面の開口が閉塞されることで、前記押え部が前記ガイド部材の下部に当接され、前記ガイド部材が前記上壁部に向けて押し込まれることを特徴とする。
【００１１】
この構成によれば、簡易な構成により、ガイド部材と挿通孔の周辺部との間に防水部材の鍔状部を強く挟み込むことができる。また、カバーと押え部とを一体成形すれば、押え部の位置精度を高めて確実な防水を可能とすると共に、部品点数を削減することができる。
【００１２】
また本発明は、上記スイッチ装置において、前記端子部には、前記ハウジング内において、前記ガイド部材に向かって起立する起立部が設けられ、前記カバーに前記ハウジング側面の開口が閉塞されることで、前記起立部が前記ガイド部材の下部に当接され、前記ガイド部材が前記上壁部に向けて押し込まれることを特徴とする。
【００１３】
この構成によれば、簡易な構成により、ガイド部材と挿通孔の周辺部との間に防水部材の鍔状部を強く挟み込むことができる。また、端子部の一部に起立部を形成すれば、起立部の位置精度を高めて確実な防水を可能とすると共に、部品点数を削減することができる。
【００１４】
また本発明は、上記スイッチ装置において、前記操作体および前記ガイド部材が、単一の成形体を分離して形成されたことを特徴とする。
【００１５】
この構成によれば、成形時の寸法のバラツキが、操作体とガイド部材とに同様に生じるので、ガイド部材による操作体のガイドを良好に行うことができる。
【００１６】
また本発明は、上記スイッチ装置において、前記ハウジング側面の開口に装着された前記カバーを包囲するように封止剤が設けられたことを特徴とする。
【００１７】
この構成によれば、カバーによって開口が閉塞されたハウジング側面を確実に防水でき、スイッチ装置の防水性をより高めることができる。
【発明の効果】
【００１８】
本発明によれば、端子部の突出方向と操作体の操作方向とを直交させたスイッチ装置において、防水性を高めることができる。
【図面の簡単な説明】
【００１９】
【図１】本発明に係るスイッチ装置の第１の実施の形態を示す図であり、スイッチ装置の斜視図である。
【図２】本発明に係るスイッチ装置の第１の実施の形態を示す図であり、スイッチ装置の分解斜視図である。
【図３】本発明に係るスイッチ装置の第１の実施の形態を示す図であり、スイッチ装置の断面図である。
【図４】本発明に係るスイッチ装置の第１の実施の形態を示す図であり、シール部材の取り付け構成の模式図である。
【図５】本発明に係るスイッチ装置の第１の実施の形態を示す図であり、スイッチ装置の動作説明図である。
【図６】本発明に係るスイッチ装置の第２の実施の形態を示す図であり、スイッチ装置の断面図である。
【図７】本発明に係るスイッチ装置の第２の実施の形態を示す図であり、操作ユニットの分解斜視図である。
【発明を実施するための形態】
【００２０】
以下、本発明の第１の実施の形態について添付図面を参照して詳細に説明する。なお、以下においては、本発明のスイッチ装置を自動二輪車用のストップランプスイッチに適用する場合について説明する。しかしながら、本実施の形態に係るスイッチ装置の適用対象については、これに限定されるものではなく適宜変更が可能である。
【００２１】
図１から図３を参照して、スイッチ装置の全体構成について説明する。図１は、本発明の第１の実施の形態に係るスイッチ装置の斜視図である。図２は、本発明の第１の実施の形態に係るスイッチ装置の分解斜視図である。図３は、本発明の第１の実施の形態に係るスイッチ装置の断面図である。
【００２２】
図１から図３に示すように、本実施の形態に係るスイッチ装置１は、ハウジング２の上部に操作ユニット３を操作可能に取り付け、ハウジング２の側面開口１５側からスイッチユニット４を取り付けて構成される。このスイッチ装置１は、操作ユニット３の押圧操作により、ハウジング２内に設けた接点機構をＯＮ、ＯＦＦさせる押圧操作型のスイッチ装置として機能する。
【００２３】
ハウジング２は、絶縁性の樹脂により薄幅の収容空間を有する箱型に形成されている。ハウジング２は、上壁部１１に操作ユニット３を上方に突出させる挿通孔１４が形成され、一側壁部１２にスイッチユニット４の取付用の側面開口１５が形成されている。操作ユニット３は、ホルダ１７（ガイド部材）に対して操作体１８を挿通し、操作体１８に対して上部を除いて周囲を覆うようにシール部材１９（防水部材）を取り付けて構成される。
【００２４】
操作体１８は、絶縁性の樹脂により操作方向に延在して棒状に形成されている。操作体１８の下端側には、外周面から四方に突出した複数の凸部２１が設けられている。操作体１８の上端側には、シール部材１９の取付用のくびれ部２２が形成されている。ホルダ１７は、絶縁性の樹脂により直方体状の台座部２４の上面から円環状に突出したガイド部２５を有して構成されている。
【００２５】
ガイド部２５には、操作体１８が挿通されるガイド孔２６が形成されており、ガイド孔２６の内周面には、操作体１８の複数の凸部２１に対応して、複数の凹部２７が形成されている。ホルダ１７は、この凹部２７に操作体１８の凸部２１を合わせることで、操作体１８を操作方向にガイドする。また、ガイド孔２６の周囲には、上面から僅かに突出した環状凸部２８が形成されている（図４参照）。
【００２６】
シール部材１９は、ゴム等の軟質弾性材で形成され、ドーム状に膨出する膨出部３１と、膨出部３１の外周縁部（下端周縁部）に形成された鍔状部３２とを有している。膨出部３１の中心部分には、操作体１８のくびれ部２２に装着される装着孔３３が形成されている。装着孔３３の径寸法は、くびれ部２２の径寸法よりも狭く形成されている。よって、シール部材１９は、操作体１８のくびれ部２２に装着孔３３を押し広げるようにして装着されるため、操作体１８に対する密着性が高められる。
【００２７】
鍔状部３２は、ホルダ１７のガイド部２５の周囲に沿って配置され、台座部２４の上面に形成された環状凸部２８に下側から当接されている。鍔状部３２には、膨出部３１の周囲に沿って、上面から僅かに突出した環状凸部３４が形成されている（図４参照）。鍔状部３２は、操作ユニット３がハウジング２に取り付けられた状態で、ホルダ１７とハウジング２の上壁部１１とに挟み込まれる。このとき、鍔状部３２の環状凸部３４が押し潰されることで、シール部材１９とハウジング２との密着性がより高められる。
【００２８】
このように構成された操作ユニット３は、操作体１８の上部だけをシール部材１９から露出させた状態で、ハウジング２に組み込まれる。そして、操作体１８の上部が押し込まれると、シール部材１９の上部が撓むとともに、ハウジング２内の接点機構が操作される。
【００２９】
スイッチユニット４は、カバー４１に第１、第２の端子部４２、４３を取り付け、第１、第２の端子部４２、４３に接点機構を組み付けることで構成される。カバー４１は、絶縁性の樹脂により形成され、ハウジング２の側面開口１５を閉塞する蓋部５１を有している。蓋部５１の前面には、第１、第２の端子部４２、４３の先端側を保持する端子保持部５２が設けられている。端子保持部５２には、第１、第２の端子部４２、４３の先端側をハウジング２外に突出可能なように２つのスリット孔５３、５３が形成されている。
【００３０】
蓋部５１の背面上側には、ホルダ１７の下面を支持する第１の支持ブロック５４（押え部）が設けられている。第１の支持ブロック５４は、ホルダ１７の下面に当接して、ホルダ１７をハウジング２の上壁部１１に向けて押し上げるように支持する。蓋部５１の背面下側には、第１、第２の端子部４２、４３の基端側を支持する第２の支持ブロック５５が設けられている。第２の支持ブロック５５は、上面において第１の端子部４２の基端側を支持すると共に、下面とハウジング２の底壁部１３との間で第２の端子部４３の基端側を支持する。
【００３１】
第１の端子部４２は、導電性を有する金属板により形成され、先端側をカバー４１を介してハウジング２外に突出させ、基端側に接点機構の可動接点側が組み込まれている。第１の端子部４２の基端側は、第２の支持ブロック５５に支持される平板部分から立ち上がる一対の起立部５７を有している。一対の起立部５７の前端部には、スペーサ部材４４を取り付けるために切り欠かれた取付部５８が形成されている。一対の起立部５７の後端部には、駆動板４７を揺動可能に支持するためにＶ字状に切り欠かれた支持部５９が形成されている。
【００３２】
また、一対の起立部５７の上端部の一部は、第１の支持ブロック５４の上面と同じ高さに形成されている。したがって、一対の起立部５７の上端部の一部は、ホルダ１７の下面に当接して、ホルダ１７をハウジング２の上壁部１１に向けて押し上げるように支持する。第２の端子部４３は、導電性を有する金属板により形成され、先端側をカバー４１を介してハウジング２外に突出させ、基端側に接点機構の固定接点側を形成している。第２の端子部４３の基端側には、固定接点部６１が取り付けられている。
【００３３】
スペーサ部材４４は、絶縁性の樹脂により板状に形成され、前面に取付具４５に対応した凹部６３が設けられている。取付具４５は、金属板の一部を背面側に切り倒して切り倒し片６４が形成されている。取付具４５は、切り倒し片６４をスペーサ部材４４に形成されたスリット孔６５に挿通させることで、スペーサ部材４４の凹部６３に取り付けられる。切り倒し片６４には、引張ばね４６の一端を保持する保持孔６６が形成されている。取付具４５は、絶縁性のスペーサ部材４４を介して一対の起立部５７の取付部５８に取り付けられるため、第１の端子部４２から電気的に切り離される。
【００３４】
駆動板４７は、導電性を有する金属板により形成され、操作体１８の下端に当接されて、後端部を支点として揺動可能に操作される。駆動板４７の後端部は、板幅方向に延在する軸片７１となっており、一対の起立部５７のＶ字状の支持部５９に支持される。また、駆動板４７の先端側には、板幅方向の両端側から下方に延びる一対の操作片７２が設けられている。一対の操作片７２の先端側の一部は、Ｖ字状に切り欠かれており、導体板４８の先端を係止している。
【００３５】
導体板４８は、バネ性および導電性を有する金属板により、一対の腕部７３を連結した略Ｕ字状に形成されている。一対の腕部７３の先端側は、湾曲して形成されており、一対の操作片７２に係止されている。一対の腕部７３の連結部分には、可動接点部７４が設けられると共に、引張ばね４６の他端を保持する保持孔７５が形成されている。この場合、導体板４８には、可動接点部７４を固定接点部６１に接触させるように、引張ばね４６の張力が作用する。また、駆動板４７には、操作体１８を押し上げるように、導体板４８を介して引張ばね４６の張力が作用する。
【００３６】
このように構成されたスイッチユニット４は、操作ユニット３が取り付けられたハウジング２に対して、側面開口１５から組み込まれる。側面開口１５は、カバー４１の蓋部５１により閉塞され、開口縁部に沿って蓋部５１を包囲するように接着剤が塗布される。この構成により、スイッチ装置１の側面側からの防水性が高められる。また、カバー４１の蓋部５１の周囲にのみ接着剤が塗布されるため、接着剤の塗布量を低減して作業効率を向上させることができる。なお、接着剤としては、熱硬化性樹脂が用いられるが、これに限定されるものではなく、蓋部５１の周囲を液密に封止するものであればよい。
【００３７】
また、スイッチユニット４は、ハウジング２に取り付けられると、第１の支持ブロック５４および一対の起立部５７によってホルダ１７をハウジング２の上壁部１１に向けて押し上げる。そして、ホルダ１７と挿通孔１４の周辺部１６との間でシール部材１９の鍔状部３２が押し潰され、シール部材１９とハウジング２との密着性が高められる。この構成により、スイッチ装置１の上面側からの防水性が高められる。
【００３８】
図４を参照して、ハウジングに対するシール部材の取付構成について説明する。図４は、本発明の第１の実施の形態に係るシール部材の取り付け構成の模式図である。図４において、（ａ）はシール部材の非取付状態を示す図、（ｂ）はシール部材の取付状態を示す図である。
【００３９】
上記したように、シール部材１９は、ホルダ１７とハウジング２の上壁部１１との間に鍔状部３２を介在させて、ハウジング２に取り付けられている。また、シール部材１９の鍔状部３２は、第１の支持ブロック５４および一対の起立部５７によってホルダ１７が押し上げられることで、ホルダ１７とハウジング２の上壁部１１との間に挟み込まれる。シール部材１９の鍔状部３２の上面には、環状凸部３４が形成されている。また、ホルダ１７の上面には、シール部材１９の鍔状部３２が載置される位置に、環状凸部２８が形成されている。
【００４０】
図４（ａ）に示すように、シール部材１９は、鍔状部３２の下面から環状凸部３４の先端までの厚みＡを有している。ホルダ１７は、台座部２４の下面から環状凸部２８の先端までの厚みＢを有している。第１の支持ブロック５４の上面とハウジング２の上壁部１１の下面との間には、間隔Ｃが設けられている。同様に、一対の起立部５７の上面とハウジング２の上壁部１１の下面との間にも、間隔Ｃが設けられている。この場合、シール部材１９の鍔状部３２の厚みＡとホルダ１７の厚みＢとを合わせた厚みが、第１の支持ブロック５４（一対の起立部５７）とハウジング２の上壁部１１との間隔Ｃよりも僅かに大きくなっている（Ｃ＜Ａ＋Ｂ）。
【００４１】
したがって、図４（ｂ）に示すように、ハウジング２に対してシール部材１９が取り付けられると、第１の支持ブロック５４および一対の起立部５７によって、シール部材１９の鍔状部３２を押し潰すようにホルダ１７が押し上げられる。このとき、ホルダ１７の環状凸部２８がシール部材１９の下面に食い込み、シール部材１９の環状凸部３４をハウジング２の上壁部１１に対して強く押し付ける。そして、シール部材１９の環状凸部３４が押し潰され、挿通孔１４において操作体１８の周囲にできる隙間がシール部材１９によって封止される。このように、スイッチ装置１は、ハウジング２の側面開口１５側から取り付けられたスイッチユニット４により、シール部材１９をハウジング２に密着状態で取り付けることが可能となっている。
【００４２】
図５を参照して、スイッチ装置の動作について説明する。図５は、本発明の第１の実施の形態に係るスイッチ装置の動作説明図である。なお、図５において、（ａ）はスイッチ装置の非操作状態、（ｂ）はスイッチ装置の操作状態をそれぞれ示す。
【００４３】
図５（ａ）に示すように、操作体１８の非操作状態では、引張ばね４６の張力が、導体板４８の可動接点部７４側を下げるように作用している。一方で、導体板４８の一対の腕部７３の湾曲した先端側は、一対の操作片７２を押し上げている。駆動板４７は、後端側に位置するＶ字状の支持部５９を支点として上方に位置され、操作体１８を押し上げている。この非操作状態では、可動接点部７４が固定接点部６１に接触され、駆動板４７および導体板４８を介して第１、第２の端子部４２、４３が導通される。
【００４４】
このとき、導体板４８に保持された引張ばね４６および取付具４５は、絶縁性のスペーサ部材４４により第１の端子部４２の一対の起立部５７から電気的に切り離されているため、電流が流れることがない。すなわち、操作体１８の非操作状態では、駆動板４７、導体板４８、可動接点部７４、固定接点部６１を介して、第１の端子部４２と第２の端子部４３とが導通される。したがって、引張ばね４６が、抵抗として機能することがなく、発熱により破損することがない。
【００４５】
図５（ｂ）に示すように、この非操作状態から操作体１８が押圧操作されると、駆動板４７がＶ字状の支持部５９を支点として下方に揺動される。駆動板４７が下方に揺動されると、一対の操作片７２を介して導体板４８の一対の腕部７３の湾曲した先端部が押し下げられる。そして、導体板４８の可動接点部７４側は、引張ばね４６の張力により、一対の操作片７２との係合部分を支点として上方に跳ね上げられる。これにより、可動接点部７４と固定接点部６１とが離間され、第１、第２の端子部４２、４３の導通状態が切断される。
【００４６】
さらに、この操作状態から押圧操作が解除されると、引張ばね４６の張力により導体板４８の可動接点部７４側が押し下げられ、可動接点部７４と固定接点部６１とが接触される。また、導体板４８の一対の腕部７３の湾曲した先端側により、一対の操作片７２を介して駆動板４７が押し上げられる。駆動板４７は、後端側に位置するＶ字状の支持部５９を支点として上方に揺動され、操作体１８を押し上げる。このようにして、スイッチ装置１は、図５（ａ）に示す初期状態に戻される。
【００４７】
以上のように、本実施の形態に係るスイッチ装置１によれば、ハウジング２の側面開口１５側から取り付けられたスイッチユニット４によって、ホルダ１７が上壁部１１に向けて押し込まれることで、ホルダ１７と挿通孔１４の周辺部１６との間にシール部材１９の鍔状部３２が強く挟み込まれる。よって、シール部材１９とハウジング２の上壁部１１とが密着され、上方に対する防水性が高められる。また、ハウジング２の側面開口１５が蓋部５１により閉塞され、開口縁部に沿って蓋部５１を包囲するように接着剤が塗布される。よって、側面開口１５の開口縁部と蓋部５１と隙間が接着剤によって封止され、側方に対する防水性が高められる。このように、カバー４１から突出した第１、第２の端子部４２、４３の突出方向とハウジング２から突出した操作体１８の操作方向とが異なる構成において、防水性を高めることができる。
【００４８】
次に、本発明の第２の実施の形態について説明する。本発明の第２の実施の形態に係るスイッチ装置は、上述した第１の実施の形態に係るスイッチ装置と操作ユニットの構成についてのみ相違する。図６は、本発明の第２の実施の形態に係るスイッチ装置の断面図である。図７は、本発明の第２の実施の形態に係る操作ユニットの分解斜視図である。
【００４９】
図６に示すように、本実施の形態に係るスイッチ装置８１は、ハウジング８２の上部に操作ユニット８３を操作可能に取り付け、ハウジング８２の側面開口９５側からスイッチユニット８４を取り付けて構成される。スイッチ装置８１は、操作ユニット８３を除き、上述した第１の実施の形態に係るスイッチ装置１と同様な構成である。したがって、図７を参照して、特に、操作ユニット８３について説明する。
【００５０】
図７に示すように、操作ユニット８３は、ホルダ９７に対して操作体９８を挿通し、操作体９８に対して上方から覆うようにシール部材９９を取り付けて構成される。操作体９８は、絶縁性の樹脂により操作方向に延在して略棒状に形成されている。操作体９８の下端側には、ホルダ９７に対する抜け止め用の抜け止め部１０１が設けられている。また、操作体９８は、抜け止め部１０１から先端側に向かって、外周面から対向する２方向に突出した一対の凸部１０２が設けられている。また、操作体９８の外周面には、一対の凸部１０２に直交する２方向に、内側に窪んだ一対の平坦面１０３が形成されている。
【００５１】
ホルダ９７は、操作体９８と同一材料により形成され、台座部１０５の上面から円環状に突出したガイド部１０６を有して構成されている。ガイド部１０６には、操作体９８が挿通されるガイド孔１０７が形成されており、ガイド孔１０７の内周面には操作体９８の一対の凸部１０２に対応して、一対の凹部１０８が形成されている。ホルダ９７は、この凹部１０８に操作体９８の凸部１０２を合わせることで、操作体９８を操作方向にガイドする。また、ガイド孔１０７の周囲には、上面から僅かに突出した環状凸部１０９が形成されている。
【００５２】
また、ホルダ９７および操作体９８は、同一材料に形成された単一の成形体を分離することで形成される。この成形体は、ガイド孔１０７の内周面の一対の凹部１０８に直交する２方向で、ホルダ９７と操作体９８とを連結して構成される。そして、ホルダ９７に対して操作体９８が捻られることで、ホルダ９７と操作体９８が分離される。この場合、ガイド孔１０７の内周面に連結部分の残部が残存しても、操作体９８の一対の平坦面１０３に対応するため、操作体９８が操作方向の移動が阻害されることがない。このような構成により、成形時の寸法のバラツキが、操作体９８とホルダ９７とに同様に生じるので、ホルダ９７による操作体９８のガイドが良好に行われる。
【００５３】
シール部材９９は、ゴム等の軟質弾性材で形成され、ドーム状に膨出する膨出部１１１と、膨出部１１１の外周縁部（下端周縁部）に形成された鍔状部１１２とを有している。このシール部材９９は、第１の実施の形態に係るシール部材１９と異なり、操作体９８全体を覆うため、防水性をより高めることが可能となっている。鍔状部１１２は、ホルダ９７のガイド部１０６の周囲に沿って配置され、台座部１０５の上面に形成された環状凸部１０９に下側から当接されている。
【００５４】
鍔状部１１２には、膨出部１１１の周囲に沿って、上面から僅かに突出した環状凸部１１３が形成されている。鍔状部１１２は、操作ユニット８３がハウジング８２に取り付けられた状態で、ホルダ９７とハウジング８２の上壁部９１とに挟み込まれる。このとき、ハウジング８２の側面開口９５に取り付けられたスイッチユニット８４によりホルダ９７がハウジング８２の上壁部９１に向けて押し上げられる。そして、ホルダ９７と挿通孔９４の周辺部９６との間でシール部材９９の鍔状部１１２が押し潰され、シール部材９９とハウジング８２との密着性が高められる。
【００５５】
以上のように、本実施の形態に係るスイッチ装置８１によれば、ホルダ９７および操作体９８が単一の成形体を分離することで形成されるため、成形時の寸法のバラツキが、操作体９８とホルダ９７とに同様に生じるので、ホルダ９７により操作体９８を良好にガイドできる。また、シール部材９９が操作体９８全体を覆うため、防水性をより高めることができる。
【００５６】
なお、上記した各実施の形態においては、本発明のスイッチ装置を自動二輪車用のストップランプスイッチに適用する構成について説明したが、この構成に限定されるものではない。本発明のスイッチ装置は、押圧操作型のスイッチ装置として利用されるのであれば、どのような装置に適用されてもよい。
【００５７】
また、上記した各実施の形態においては、スイッチ装置は、防水性を高めつつ、端子部の突出方向と操作体の操作方向とを直交した構成としたが、この構成に限定されるものではない。スイッチ装置は、防水性を高めつつ、端子部の突出方向と操作体の操作方向とを交差した構成にすることも可能である。
【００５８】
また、上記した各実施の形態においては、第１の支持ブロックおよび一対の起立部により、シール部材とハウジングとの密着性が高まる構成としたが、この構成に限定されるものではない。シール部材とハウジングとの密着性が、ハウジングの側面開口に取り付けられたスイッチユニットにより高められる構成であれば、どのような構成でもよい。例えば、第１の支持ブロックまたは一対の起立部のいずれかによってホルダが上壁部に押し込まれることにより、シール部材とハウジングとの密着性が高まる構成としてもよい。
【００５９】
また、上記した各実施の形態においては、接点機構が駆動板や導体板等により構成されたが、この構成に限定されるものではない。接点機構は、操作体の押圧操作によりＯＮ、ＯＦＦが切り替えられる構成であれば、どのような構成でもよい。
【００６０】
また、上記した各実施の形態においては、ハウジングの側面開口に取り付けられた蓋部が接着剤に封止される構成としたが、この構成に限定されるものではない。蓋部は、ハウジングの側面開口を閉塞可能であれば、どのような構成でもよい。例えば、蓋部は、接着剤以外で封止されてもよい。また、例えば、蓋部は、ハウジングの側面開口の閉塞により、側方に対する防水性が十分に高められるのであれば接着剤により封止されない構成としてもよい。
【００６１】
また、上記した各実施の形態においては、シール部材が軟質弾性体で形成される構成としたが、この構成に限定されるものではない。シール部材は、防水性を有し、かつホルダからの押し込みによりハウジングに対する密着性が高められるのであれば、どのような材料で形成されてもよい。
【００６２】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００６３】
以上説明したように、本発明は、防水性を高めることができると共に、端子部の突出方向と操作体の操作方向とを直交させることができるという効果を有し、特に、自動二輪車用のストップランプスイッチに有用である。
【符号の説明】
【００６４】
１、８１  スイッチ装置
２、８２  ハウジング
３、８３  操作ユニット
４、８４  スイッチユニット
１１、９１  上壁部
１２  一側壁部
１３  底壁部
１４、９４  挿通孔
１５、９５  側面開口
１６、９６  周辺部
１７、９７  ホルダ（ガイド部材）
１８、９８  操作体
１９、９９  シール部材（防水部材）
２８、１０９  環状凸部
３１、１１１  膨出部
３２、１１２  鍔状部
３４、１１３  環状凸部
４１  カバー
４２  第１の端子部
４３  第２の端子部
４４  スペーサ部材
４５  取付具
４７  駆動板
４８  導体板
５１  蓋部
５４  第１の支持ブロック（押え部）
５５  第２の支持ブロック
５７  起立部
６１  固定接点部
７４  可動接点部
【図１】
0005497591.tif 000002
【図２】
0005497591.tif 000003
【図３】
0005497591.tif 000004
【図４】
0005497591.tif 000005
【図５】
0005497591.tif 000006
【図６】
0005497591.tif 000007
【図７】
0005497591.tif 000008